(57)【要約】【課題】給湯機器のファームウェアデータを書き換える際の必要事項をわかりやすく表示し、操作性を向上することができるようにする。【解決手段】給湯機器３に接続して用いられるＰＣ１のハードディスク１１には、給湯機器３の機種データの書き換えか動作条件データの書き換えかを選択するためのメニュー画面を表示するメニュー画面表示ルーチン１００と、メニュー画面を通じて機種データまたは動作条件データの書き換えが選択された後、所望とする機種または動作条件を一覧から選択するためのリスト画面を表示するリスト画面表示ルーチン１２０と、リスト画面を通じて所望とする機種または動作条件が選択されると、当該機種または動作条件に係るファームウェアデータの書き換えを給湯機器３に対して要求するデータ書換要求ルーチン１３０とからなるアプリケーションプログラムがインストールされている。【選択図】  図２
2004362501.tif 000002
【特許請求の範囲】
【請求項１】
住宅設備機器を所定の機種として所定の動作条件の下で動作させるためのファームウェアデータを必要に応じて書き換えるべく、当該住宅設備機器に接続して用いられる住宅設備機器用のデータ書き換え装置であって、
機種に係るファームウェアデータの書き換えか動作条件に係るファームウェアデータの書き換えかを選択するためのメニュー画面を表示するメニュー画面表示手段と、
前記メニュー画面を通じて機種または動作条件に係るファームウェアデータの書き換えが選択された後、所望とする機種または動作条件を一覧から選択するためのリスト画面を表示するリスト画面表示手段と、
前記リスト画面を通じて所望とする機種または動作条件が選択されると、当該機種または動作条件に係るファームウェアデータの書き換えを前記住宅設備機器に対して要求するデータ書き換え要求手段と、
を備えたことを特徴とする、住宅設備機器用のデータ書き換え装置。
【請求項２】
前記メニュー画面を通じて機種に係るファームウェアデータの書き換えが選択されると、さらに機種名を入力して検索するための検索画面を表示する検索画面表示手段を有し、前記リスト画面表示手段は、前記検索画面を通じて入力された機種名の検索結果を前記リスト画面の内容として表示する、請求項１に記載の住宅設備機器用のデータ書き換え装置。
【請求項３】
前記メニュー画面を通じて動作条件に係るファームウェアデータの書き換えが選択されると、前記リスト画面表示手段は、書き換え可能な動作条件の一覧を前記リスト画面の内容として表示する、請求項１または２に記載の住宅設備機器用のデータ書き換え装置。
【請求項４】
書き換え可能なファームウェアデータを前記住宅設備機器とは別に通信回線を介して外部のデータサーバからダウンロードして記憶しておくダウンロード手段およびデータ記憶手段を有し、前記データ書き換え要求手段は、書き換え後の内容となるファームウェアデータそのものを前記データ記憶手段から読み出して前記住宅設備機器へと転送する、請求項１ないし３のいずれかに記載の住宅設備機器用のデータ書き換え装置。
【請求項５】
前記住宅設備機器を動作させて動作状態を検出するとともに、当該動作状態の検出結果に基づいて前記住宅設備機器の故障部位を特定する故障診断手段を有する、請求項１ないし４のいずれかに記載の住宅設備機器用のデータ書き換え装置。
【請求項６】
前記住宅設備機器は、給湯機器である、請求項１ないし５のいずれかに記載の住宅設備機器用のデータ書き換え装置。
【請求項７】
住宅設備機器を所定の機種として所定の動作条件の下で動作させるためのファームウェアデータを必要に応じて書き換えるべく、当該住宅設備機器に接続して用いられるコンピュータに対し、所定の手順を実行させるためのコンピュータプログラムであって、
機種に係るファームウェアデータの書き換えか動作条件に係るファームウェアデータの書き換えかを選択するためのメニュー画面を表示するメニュー画面表示手順と、
前記メニュー画面を通じて機種または動作条件に係るファームウェアデータの書き換えが選択された後、所望とする機種または動作条件を一覧から選択するためのリスト画面を表示するリスト画面表示手順と、
前記リスト画面を通じて所望とする機種または動作条件が選択されると、当該機種または動作条件に係るファームウェアデータの書き換えを前記住宅設備機器に対して要求するデータ書き換え要求手順と、
を前記コンピュータに実行させることを特徴とする、コンピュータプログラム。
【発明の詳細な説明】
【０００１】
【発明の属する技術分野】
本発明は、住宅設備機器として例えば給湯機器などに用いられ、当該給湯機器などのファームウェアデータを必要に応じて書き換えるための住宅設備機器用のデータ書き換え装置およびコンピュータプログラムに関する。
【０００２】
【従来の技術】
一般に、給湯機器の制御コンピュータには、給湯機器全体の動作を制御するためのファームウェアが組み込まれている。この種のファームウェアには、動作手順などを記したプログラム部分に加え、給湯能力やガス種などで決まる機種ならびに標準設定水位や配管延長などといった動作条件に応じて変更すべきデータ部分（ファームウェアデータ）が含まれる。このようなファームウェアデータは、通常は給湯機器の設置時まで（たとえば工場出荷時や設置時）に必要に応じて書き換えられるが、故障などにより制御コンピュータを搭載した制御基板を交換する際に書き換えられることもある。
【０００３】
ところで、ファームウェアデータを書き換えるための手段としては、給湯機器の操作用として浴室などに設置したリモコンが利用される。この種のリモコンは、基本的に給湯運転の開始／停止や給湯温度の設定などに用いられるものであるため、一般の利用者が通常の手順で操作してもファームウェアデータを書き換えることはできない。つまり、ファームウェアデータを書き換える際には、操作手順などを表した保守操作用のマニュアルを参照しながらリモコンを複雑に操作しなければならず、簡単にはファームウェアデータを書き換えるモードに移行しないように工夫されている。ファームウェアデータを書き換えるモードでは、リモコンの表示部に機種や動作条件を表す項目コードが一つひとつ表示され、所望とする機種あるいは動作条件に係るファームウェアデータを書き換えるには、さらに該当する項目コードの内容を表示させた上で変更しなければならない（たとえば、特許文献１参照）。
【０００４】
【特許文献１】
特開２００３−２１３９１号公報
【０００５】
【発明が解決しようとする課題】
しかしながら、上述したように給湯運転などに特化した操作部や表示部しかないリモコンでは、変更すべき機種や動作条件が項目コードで表示されるためにわかりにくく、ファームウェアデータを書き換える際に複雑な操作を要する難点があった。そのため、たとえば不慣れな者によっては、操作を間違ってしまうこともある。
【０００６】
【発明の開示】
本発明は、このような事情のもとで考え出されたものであって、ファームウェアデータを書き換える際の必要事項をわかりやすく表示し、操作性を向上することができる住宅設備機器用のデータ書き換え装置およびコンピュータプログラムを提供することを、その課題としている。
【０００７】
上記の課題を解決するため、本発明では、次の技術的手段を講じている。
【０００８】
すなわち、本発明の第１の側面によれば、住宅設備機器を所定の機種として所定の動作条件の下で動作させるためのファームウェアデータを必要に応じて書き換えるべく、当該住宅設備機器に接続して用いられる住宅設備機器用のデータ書き換え装置であって、機種に係るファームウェアデータの書き換えか動作条件に係るファームウェアデータの書き換えかを選択するためのメニュー画面を表示するメニュー画面表示手段と、前記メニュー画面を通じて機種または動作条件に係るファームウェアデータの書き換えが選択された後、所望とする機種または動作条件を一覧から選択するためのリスト画面を表示するリスト画面表示手段と、前記リスト画面を通じて所望とする機種または動作条件が選択されると、当該機種または動作条件に係るファームウェアデータの書き換えを前記住宅設備機器に対して要求するデータ書き換え要求手段とを備えたことを特徴とする、住宅設備機器用のデータ書き換え装置が提供される。
【０００９】
本発明の第１の側面によれば、メニュー画面やリスト画面を通じて所望とする機種や動作条件を選択するだけで良いので、ファームウェアデータを書き換える際の機種や動作条件といった必要事項がわかりやすく表示され、ひいては操作性を向上することができる。
【００１０】
好ましい実施の形態としては、前記メニュー画面を通じて機種に係るファームウェアデータの書き換えが選択されると、さらに機種名を入力して検索するための検索画面を表示する検索画面表示手段を有し、前記リスト画面表示手段は、前記検索画面を通じて入力された機種名の検索結果を前記リスト画面の内容として表示する構成とすることができる。
【００１１】
このような構成によれば、機種名を検索して所望とする機種を簡単に選択することができ、操作性をより一層向上することができる。
【００１２】
他の好ましい実施の形態としては、前記メニュー画面を通じて動作条件に係るファームウェアデータの書き換えが選択されると、前記リスト画面表示手段は、書き換え可能な動作条件の一覧を前記リスト画面の内容として表示する構成とすることができる。
【００１３】
このような構成によれば、書き換え可能な動作条件の一覧から所望とする動作条件を簡単に選択することができ、操作性をより一層向上することができる。
【００１４】
他の好ましい実施の形態としては、書き換え可能なファームウェアデータを前記住宅設備機器とは別に通信回線を介して外部のデータサーバからダウンロードして記憶しておくダウンロード手段およびデータ記憶手段を有し、前記データ書き換え要求手段は、書き換え後の内容となるファームウェアデータそのものを前記データ記憶手段から読み出して前記住宅設備機器へと転送する構成とすることができる。
【００１５】
このような構成によれば、たとえば住宅設備機器に接続される一方でインターネットにアクセス可能なノート型のコンピュータをデータ書き換え装置として利用することができ、ノート型のコンピュータには、インターネット上のデータサーバからファームウェアデータをダウンロードして保存しておくことができる。
【００１６】
他の好ましい実施の形態としては、前記住宅設備機器を動作させて動作状態を検出するとともに、当該動作状態の検出結果に基づいて前記住宅設備機器の故障部位を特定する故障診断手段を有する構成とすることができる。
【００１７】
また、前記住宅設備機器は、給湯機器である構成とすることができる。
【００１８】
このような構成によれば、住宅設備機器としての給湯機器に用いることができ、給湯機器のファームウェアデータを書き換えるだけでなく、給湯機器の故障診断も行うことができる。
【００１９】
本発明の第２の側面によれば、住宅設備機器を所定の機種として所定の動作条件の下で動作させるためのファームウェアデータを必要に応じて書き換えるべく、当該住宅設備機器に接続して用いられるコンピュータに対し、所定の手順を実行させるためのコンピュータプログラムであって、機種に係るファームウェアデータの書き換えか動作条件に係るファームウェアデータの書き換えかを選択するためのメニュー画面を表示するメニュー画面表示手順と、前記メニュー画面を通じて機種または動作条件に係るファームウェアデータの書き換えが選択された後、所望とする機種または動作条件を一覧から選択するためのリスト画面を表示するリスト画面表示手順と、前記リスト画面を通じて所望とする機種または動作条件が選択されると、当該機種または動作条件に係るファームウェアデータの書き換えを前記住宅設備機器に対して要求するデータ書き換え要求手順とを前記コンピュータに実行させることを特徴とする、コンピュータプログラムが提供される。
【００２０】
本発明の第２の側面によれば、たとえば住宅設備機器に接続されたノート型のコンピュータにプログラムを実行させることにより、第１の側面に係るデータ書き換え装置としての動作をノート型のコンピュータ上で実現することができる。
【００２１】
本発明のその他の特徴および利点は、添付図面を参照して以下に行う発明の実施の形態の説明によって、より明らかになるであろう。
【００２２】
【発明の実施の形態】
以下、本発明の好ましい実施の形態を、図面を参照して具体的に説明する。
【００２３】
図１は、本発明に係るデータ書き換え装置の一実施形態を示すシステム構成図、図２は、データ書き換え装置の電気的構成を示す機能ブロック図である。
【００２４】
データ書き換え装置は、ノート型のパーソナルコンピュータ（以下、「ＰＣ」と呼ぶ）１と、住宅設備機器としての給湯機器３にＰＣ１を接続するための接続ユニット２とで構成される。給湯機器３には、浴室リモコン４と台所リモコン５とが接続されている。一般利用者は、浴室リモコン４や台所リモコン５を用いて給湯機器３に対する操作、たとえば給湯運転の開始／停止や給湯温度の設定などといった操作を行うことができる。一方、給湯機器３の設置時や故障などの際には、保守作業者がＰＣ１と給湯機器３との間に接続ユニット２を接続し、ＰＣ１を操作することで所要の作業を行う。
【００２５】
保守作業の対象となる給湯機器３は、ＣＰＵ、ＲＯＭ、ＲＡＭなどで構成されるマイコンからなる制御部３０、給湯機器３全体の動作を制御するためのファームウェアが格納されたＥＥＰＲＯＭ３１、および接続ユニット２やリモコン４，５を接続するための端子台３２などを有して構成される。なお、制御部３０およびＥＥＰＲＯＭ３１は、制御基板に設けられており、故障などの際には制御基板ごと交換される。制御基板を交換する際には、新旧の制御基板を互いに接続してデータをやり取りさせ、新たな制御基板（以下、「アフターサービス基板」と呼ぶ）のＥＥＰＲＯＭにファームウェアを転送して継承させることができる。このようなファームウェアには、給湯機器３の機種ならびに動作条件に応じて変更すべきファームウェアデータが含まれる。なお、給湯機器３に組み込まれたマイコンは、機種によらず共通化されており、ファームウェアデータの内容を変更することで機種に応じた制御を行うものとされている。
【００２６】
図３は、ファームウェアデータを説明するための説明図である。
【００２７】
ファームウェアデータには、給湯能力（号数）、風呂機能、排気バリエーション、ガス種などといった仕様で決まる機種に係るデータ（以下、「機種データ」と呼ぶ）と、標準設定水位変更（標準設定水位シフト）、風呂配管延長、階下浴槽、給湯連続燃焼、風呂凍結予防ポンプ循環などといった動作条件に係るデータ（以下、「動作条件データ」と呼ぶ）とがある。機種データは、機種名が決まればデータ内容が一義的に決まる一方、動作条件データは、標準設定水位や風呂配管延長などの項目別に異なるデータ内容からなる。たとえば、機種名が「２４Ａ−ＷＬＰ」の場合、機種データは、給湯能力「２４」、風呂機能「フルオート」、排気バリエーション「Ｗ」、ガス種「ＬＰ」といったデータ内容からなる。また、動作条件データとして例えば標準設定水位に係るものでは、「標準」、「＋５０ｍｍ」、「−５０ｍｍ」、「＋１００ｍｍ」のうちのいずれか一つのデータ内容からなる。このような機種データおよび動作条件データは、工場出荷時設定によりあらかじめデータ内容が決められているが、たとえば給湯機器３の設置時に機種変更する場合や標準設定水位を調整する場合などにＰＣ１を利用してデータ内容が書き換えられる。なお、アフターサービス基板のＥＥＰＲＯＭには、機種データや動作条件データ（ファームウェアデータ）があらかじめ書き込まれていないため、故障などによる基板交換時には、ファームウェアを転送するにしてもＰＣ１を利用するにしてもアフターサービス基板のＥＥＰＲＯＭに必ず機種データや動作条件データを書き込まなければならない。
【００２８】
ＰＣ１は、ＣＰＵ、ＲＯＭ、ＲＡＭなどで構成されるマイコンやチップセットなどからなる制御部１０、外部記憶装置としてのハードディスク１１、キーボードやポインティングデバイスなどからなる操作部１２、液晶ディスプレイなどからなる表示部１３、接続ユニット２との間でデータをやり取りする窓口となる例えばＲＳ−２３２ＣコネクタなどのＩ／Ｏポート１４、インターネットなどのネットワークに接続するためのモデムやＬＡＮカードなどからなる通信部１５を有して構成される。接続ユニット２は、データを送受信する手順が互いに異なるＰＣ１と給湯機器３との間に接続され、これらの間でデータを相互に変換しながら受け渡しする機能を備える。
【００２９】
ＰＣ１のハードディスク１１には、ＯＳや各種のソフトウェアとともに保守作業用のアプリケーションプログラムがインストールされている。保守作業用のアプリケーションプログラムは、メニュー画面表示ルーチン１００、検索画面表示ルーチン１１０、リスト画面表示ルーチン１２０、データ書換要求ルーチン１３０、ダウンロードルーチン１４０、故障診断ルーチン１５０などからなる。また、ハードディスク１１は、データ記憶領域１６０としても利用される。
【００３０】
メニュー画面表示ルーチン１００を呼び出して実行すると、制御部１０は、機種データを書き換えるモード、動作条件データを書き換えるモード、さらには給湯機器の故障診断を行うモードのうちのいずれか一つのモードを選択するためのメニュー画面を表示部１３に表示する。検索画面表示ルーチン１１０を呼び出して実行すると、制御部１０は、機種データを書き換える際に機種名を入力して検索するための機種検索画面を表示部１３に表示する。リスト画面表示ルーチン１２０を呼び出して実行すると、制御部１０は、入力された機種名を検索するとともに検索結果として得られた機種の一覧を示す検索結果リスト画面を表示部１３に表示する。また、リスト画面表示ルーチン１２０を呼び出して実行すると、制御部１０は、書き換え可能な動作条件の一覧を示す動作条件リスト画面を表示部１３に表示する。データ書換要求ルーチン１３０を呼び出して実行すると、制御部１０は、検索結果リスト画面や動作条件リスト画面の中から選択された機種や動作条件に該当するファームウェアデータの書き換えを給湯機器３に対して要求する。このとき、制御部１０は、ファームウェアデータの書き換え要求とともに該当する機種データや動作条件データのデータ内容そのものを給湯機器３へと転送する。
【００３１】
ダウンロードルーチン１４０を呼び出して実行すると、制御部１０は、インターネットなどのネットワーク上に存在するデータサーバ（図示省略）から通信部１５を介して全ての機種データや動作条件データを取り込む。取り込んだ機種データや動作条件データについては、機種名の検索や給湯機器３へのデータ転送時に用いられるデータベースとしてデータ記憶領域１６０に保存される。故障診断ルーチン１５０を呼び出して実行すると、制御部１０は、給湯機器３に対して特定の動作部位（たとえばポンプや排気ファンモータなど）のみを動作させる命令を発する。それに応じて給湯機器３から動作状態を示すステータスデータが送られてくると、制御部１０は、そのステータスデータに基づいて特定の動作部位が正常に動作しているか否かを判断し、正常に動作していない場合には、故障部位として表示部１３に表示する。
【００３２】
次に、ＰＣ１を用いて保守作業を行う際のＰＣ１の動作について説明する。
【００３３】
図４は、ＰＣ１の動作手順を示すフローチャート、図５ないし図８は、表示画面の一例を説明するための説明図である。
【００３４】
給湯機器３に接続ユニット２を介して接続された状態をＰＣ１が検出すると（Ｓ１：ＹＥＳ）、ＰＣ１では、自動的に保守作業用のアプリケーションプログラムが起動し、表示部１３にメニュー画面が表示される（Ｓ２）。このメニュー画面では、図５に示すように、機種データを書き換えるモード選択用の「機種書換」ボタン、動作条件データを書き換えるモード選択用の「動作条件書換」ボタン、給湯機器の故障診断を行うモード選択用の「故障診断」ボタンが表示される。操作部１２を用いて矢印のかたちをしたマウスカーソルを所望とするボタン上に移動させてクリックすると、所望のモードが選択される。なお、給湯機器３に接続された状態を検出できない場合には（Ｓ１：ＮＯ）、保守作業用のアプリケーションプログラムを手動で起動しても未接続状態である旨のメッセージなどが表示され、メニュー画面が表示されない。
【００３５】
メニュー画面の中から「機種書換」ボタンが選択されると（Ｓ３：ＹＥＳ）、メニュー画面が切り替わって機種検索画面が表示される（Ｓ４）。この機種検索画面では、図６に示すように、機種名を入力するためのテキスト入力ボックスが表示され、操作部１２のキーボードを用いて所望とする機種名をテキスト入力ボックスに入力することができる。その後、「検索」ボタンをクリックすると、入力された機種名がデータ記憶領域１６０のデータベースから検索される。なお、入力する機種名としては、機種名の一部であっても良い。
【００３６】
そして、入力された機種名がデータベースに存在すると、検索結果として該当する機種の一覧を示す検索結果リスト画面が表示される（Ｓ５）。この検索結果リスト画面では、図７に一例として示すように、入力された機種名「ＷＬＰ」に該当する機種「１６Ａ−ＷＬＰ」、「２４Ａ−ＷＬＰ」、「２４ＳＡ−ＷＬＰ」のみが一覧表示される。
【００３７】
検索結果リスト画面の中から所望とする機種を選択して「ＯＫ」ボタンをクリックすると（Ｓ６：ＹＥＳ）、該当する機種データがデータベースから読み出され、その機種データが給湯機器３に転送される（Ｓ７）。給湯機器３では、ＰＣ１から送られてきた機種データがＥＥＰＲＯＭ３１に上書きされる。ただし、基板交換時に何らかの不具合によってアフターサービス基板のＥＥＰＲＯＭにファームウェアを転送できなかった場合、アフターサービス基板のＥＥＰＲＯＭには機種データがないため、ＰＣ１から送られてきた機種データがヌル（ｎｕｌｌ）データに対して上書きされることになる。
【００３８】
なお、機種を選択して「ＯＫ」ボタンがクリックされない限りは（Ｓ６：ＮＯ）、検索結果リスト画面の表示が続けられるが、「キャンセル」ボタンなどがクリックされると、機種検索画面やメニュー画面の表示状態まで戻るとしても良い。
【００３９】
一方、メニュー画面の中から「動作条件書換」ボタンが選択されると（Ｓ３：ＮＯ，Ｓ８：ＹＥＳ）、メニュー画面が切り替わって動作条件リスト画面が表示される（Ｓ９）。この動作条件リスト画面では、図８に一例として示すように、データベースに登録されている動作条件の全項目がリストボックス内に表示される。
【００４０】
動作条件リスト画面の中から所望とする動作条件の項目を選択して「ＯＫ」ボタンをクリックすると（Ｓ１０：ＹＥＳ）、該当する動作条件の内容がデータベースから読み出されて表示部１３に表示される（Ｓ１１）。このときも動作条件リスト画面と同様に、動作条件の内容がリストボックス内に表示される。たとえば、動作条件の項目として「階下浴槽」を選択した場合には、「階下浴槽」に係る動作条件データの内容として「−５ｍ未満」、「−５ｍ以上」が選択可能に表示される。
【００４１】
なお、動作条件の項目を選択して「ＯＫ」ボタンがクリックされない限りは（Ｓ１０：ＮＯ）、動作条件リスト画面の表示が続けられるが、「キャンセル」ボタンなどがクリックされると、メニュー画面の表示状態まで戻るとしても良い。
【００４２】
そして、所望とする動作条件の内容を選択すると（Ｓ１２：ＹＥＳ）、該当する動作条件データがデータベースから読み出され、その動作条件データが給湯機器３に転送される（Ｓ１３）。給湯機器３では、ＰＣ１から送られてきた動作条件データがＥＥＰＲＯＭ３１に上書きされる。ただし、基板交換時に何らかの不具合によってアフターサービス基板のＥＥＰＲＯＭにファームウェアを転送できなかった場合、アフターサービス基板のＥＥＰＲＯＭには動作条件データがないため、ＰＣ１から送られてきた動作条件データがヌル（ｎｕｌｌ）データに対して上書きされることになる。
【００４３】
なお、動作条件の内容が選択されない限りは（Ｓ１２：ＮＯ）、動作条件の内容を選択するための画面の表示が続けられるが、その画面に「キャンセル」ボタンなどがあってクリックされると、動作条件リスト画面やメニュー画面の表示状態まで戻るとしても良い。
【００４４】
一方、メニュー画面の中から「故障診断」ボタンが選択されると（Ｓ３：ＮＯ，Ｓ８：ＮＯ）、メニュー画面が切り替わって故障診断を行うための画面が表示され、故障診断処理が行われる（Ｓ１４）。この故障診断処理によれば、上述したように給湯機器３に対してたとえばポンプや排気ファンモータなどの特定部位のみを動作させる命令が発せられ、それに応じて給湯機器３から送られてくるステータスデータに異常があると、動作させた部位が故障部位として表示部１３に表示される。
【００４５】
したがって、上記実施形態に係るＰＣ１によれば、給湯機器３の機種データや動作条件データを書き換える際、グラフィカルユーザインターフェース（ＧＵＩ）により書き換えたい機種データや動作条件データがわかりやすく表示されるので、メニュー画面やリスト画面を通じて所望とする機種データや動作条件データを簡単に選択することができ、従来のように浴室リモコン４などを用いるよりも操作性を向上することができる。
【００４６】
また、新たに機種データや動作条件データがデータサーバに追加された場合には、追加されたデータをデータサーバからダウンロードしてデータベースに登録しておくことができ、現場で必要なデータが無いといった場合でもデータサーバから必要なデータをダウンロードしてその場で対処することができる。
【００４７】
また、ノート型のパーソナルコンピュータを用いて給湯機器の故障診断のみを行う故障診断支援システムについては、すでに実用化されているが、上記ＰＣ１は、上記保守作業用のアプリケーションプログラムをインストールしておくことにより、故障診断を行う機能に加えて機種データや動作条件データを書き換える機能を付加した構成と言うことができる。つまり、ＰＣ１を用いて給湯機器３の故障診断を行うだけでなく、機種データや動作条件データの書き換えも行うことができるので、１つのツール（ＰＣ１）によって各種の保守作業をすることができ、作業効率の向上を図ることができる。なお、データ書き換え装置としては、機種データや動作条件データを書き換える機能さえあれば良く、故障診断を行う機能が無くても良い。
【００４８】
なお、本発明は、上記実施形態に限定されるものではない。
【００４９】
給湯機器用のデータ書き換え装置としては、汎用のコンピュータでなくても良く、メンテナンス専用の端末であっても良い。
【００５０】
図５ないし図８に示すメニュー画面やリスト画面などは、あくまでも一例であり、必要事項を選択することができれば、たとえば表形式で一覧表示するような画面内容としても良い。
【００５１】
ＥＥＰＲＯＭ３１には、アフターサービス基板の場合を除き、あらかじめ機種データや動作条件データが書き込まれているため、データの書き換え時には、給湯機器３のＥＥＰＲＯＭ３１から機種データや動作条件データを読み出し、現時点での機種データや動作条件データの内容をＰＣ１の表示部１３に表示させるようにしても良い。
【００５２】
給湯機器３にＰＣ１を接続した際には、その時点でＥＥＰＲＯＭ３１に設定されている機種データをＰＣ１が読み出し、自動的に機種を判別するようにしても良い。
【００５３】
燃焼熱を熱源として温水を生成する給湯機器の場合、燃料としてはガスあるいは石油のいずれであっても良い。また、電気ヒータ、ガスヒートポンプ、ガスエンジンの排熱利用、あるいは太陽熱利用などの各種エネルギーを熱源として温水を生成する給湯機器にも本発明を適用することができる。
【００５４】
本発明を適用可能な住宅設備機器としては、一般的な給湯機能のみを備えた給湯機器、風呂釜としての機能のみを備えた給湯機器、温水暖房機能のみを備えた給湯機器、あるいは、これらの機能のうちのいずれか２つの機能や全ての機能を備えた給湯機器でも良い。さらに住宅設備機器としては、これらの給湯機器に対して配管接続され、給湯機器と連動して所定の機能を発揮する、たとえば浴室乾燥機などの温水暖房端末や即出湯装置などといった温水装置でも良く、広く言えば、フォームウェアデータを備えた制御部を有する住宅設備機器全般にデータ書き換え装置を適用することができる。
【００５５】
【発明の効果】
以上説明したように、本発明によれば、メニュー画面やリスト画面を通じて所望とする機種や動作条件を選択するだけで良いので、ファームウェアデータを書き換える際の機種や動作条件といった必要事項がわかりやすく表示され、ひいては操作性を向上することができる。
【図面の簡単な説明】
【図１】本発明に係るデータ書き換え装置の一実施形態を示すシステム構成図である。
【図２】データ書き換え装置の電気的構成を示す機能ブロック図である。
【図３】ファームウェアデータを説明するための説明図である。
【図４】ＰＣの動作手順を示すフローチャートである。
【図５】表示画面の一例を説明するための説明図である。
【図６】表示画面の一例を説明するための説明図である。
【図７】表示画面の一例を説明するための説明図である。
【図８】表示画面の一例を説明するための説明図である。
【符号の説明】
１      パーソナルコンピュータ（ＰＣ）
１０    制御部
１１    ハードディスク
１２    操作部
１３    表示部
１４    Ｉ／Ｏポート
１５    通信部
１００  メニュー画面表示ルーチン
１１０  検索画面表示ルーチン
１２０  リスト画面表示ルーチン
１３０  データ書換要求ルーチン
１４０  ダウンロードルーチン
１５０  故障診断ルーチン
１６０    データ記憶領域
２      接続ユニット
３      給湯機器
３０    制御部
３１    ＥＥＰＲＯＭ
３２    端子台
【図１】
2004362501.tif 000003
【図２】
2004362501.tif 000004
【図３】
2004362501.tif 000005
【図４】
2004362501.tif 000006
【図５】
2004362501.tif 000007
【図６】
2004362501.tif 000008
【図７】
2004362501.tif 000009
【図８】
2004362501.tif 000010